(57)【特許請求の範囲】
【請求項１】
上階の建物ユニットと下階の建物ユニットとを積層して構成され、かつ、前記上階の建物ユニットと下階の建物ユニットとの間に防火性を有した床防火区画面が設けられたユニット建物において、浴室が設けられた前記上階の建物ユニットに適用された建物ユニットの配管構造であって、
前記床防火区画面の一部に、下方に落ち込み、かつ、前記床防火区画面に連続する防火仕上げが成された配管ボックスが設けられ、
前記浴室用の排水管が、前記配管ボックス内に配索され、さらに、配管ボックスの側面を貫通して排水縦管に接続されていることを特徴とする建物ユニットの配管構造。
【請求項２】
前記配管ボックスが設置された建物ユニットには、浴室を形成するバスコアユニットが設置され、かつ、このバスコアユニットが設置された部分では、前記床防火区画面が、前記バスコアユニットを設置しない一般部の床防火区画面に比べて、低い位置に配置され、
前記排水管は、この一般部よりも低い位置に配置された床防火区画面よりもさらに低い位置に配置され、
前記配管ボックスが、上階の建物ユニットと下階の建物ユニットとの境界よりも下方に突出されていることを特徴とする請求項１に記載の建物ユニットの配管構造。
【請求項３】
前記配管ボックスが、複数の分割パーツを結合して形成されていることを特徴とする請求項１または請求項２に記載の建物ユニットの配管構造。
【請求項４】
前記配管ボックスは、上方から視て前記バスコアユニットと重ならないユニット手前側から、上方から視て前記バスコアユニットと重なるユニット奥側へ、略一定幅の形状に形成され、
前記分割パーツは、前記配管ボックスの長手方向の一端部を形成する端部パーツと、前記配管ボックスの少なくとも中間を形成する中間パーツと、を備え、
前記端部パーツは、前記配管ボックスの底面を形成する底板と、前記配管ボックスの側壁を形成し、かつ、前記底板の三方を囲んで上方視で略コの字状に配置された側板と、を備え、
前記中間パーツは、前記端部用パーツの底壁および側壁に連続して配置可能な底板およびその両端部に立設した側板と、により断面略コの字形状に形成されていることを特徴とする請求項３に記載の建物ユニットの配管構造。
【請求項５】
請求項２〜４のいずれか１項に記載の建物ユニットの配管構造の施工方法であって、
前記建物ユニットの工場における施工過程で、前記配管ボックスを除いて前記床防火区画面を形成し、さらに、この床防火区画面の上方に前記バスコアユニットを設置し、
各建物ユニットを結合させる建築現場における施工過程で、前記配管ボックスを形成し、かつ、この配管ボックスに前記排水管を配索して、前記排水縦管に接続することを特徴とする施工方法。
【請求項６】
請求項３または請求項４に記載の建物ユニットの配管構造を施工する請求項５に記載の施工方法であって、
前記建築現場における施工過程において、各分割パーツを、前記設置済みのバスコアユニットの下方に差し込み、かつ、各分割パーツを接合させて配管ボックスを形成することを特徴とする施工方法。
【発明の詳細な説明】
【技術分野】
【０００１】
本発明は、建物ユニットにおける配管構造およびその施工方法に関する。
【背景技術】
【０００２】
従来、建物ユニットにおいて、上水や排水用の配管を、あらかじめ工場において建物ユニットの床下に配索しておき、この建物ユニットを建築現場に運んで設置することが知られている（例えば、特許文献１参照）。
【特許文献１】特開２００１−２８８８２０号公報
【発明の開示】
【発明が解決しようとする課題】
【０００３】
ところで、集合住宅などにおいて、上下に重ねられる上階の建物ユニットと下階の建物ユニットの間に床防火区画面を形成し、また、排水管を配索させる場合がある。
【０００４】
この排水管は、例えば、上階の建物ユニットに浴室や洗面所を設置する場合に配索されるが、この排水管は、上水の配管に比べて管径が大きい。
【０００５】
このため、上階の建物ユニットと下階の建物ユニットとの間の限られたスペースに、床防火区画面を形成しつつ排水管を配索するのに苦慮していた。
【０００６】
もちろん、上階の建物ユニットの床と下階の建物ユニットの天井との間に、大きなスペースを確保すれば、排水管の配索は容易であるが、その場合、建物ユニットの上下寸法が大きくなり、コストアップを招く。
【０００７】
本発明は、上述の問題点に着目して成されたもので、安価に、上階の建物ユニットと下階の建物ユニットとの間の限られたスペースに床防火区画面を確保しつつ排水管を配索することを可能とする建物ユニットの配管構造およびその施工方法を提供することを目的とするものである。
【課題を解決するための手段】
【０００８】
本発明は、上述事情に鑑みなされたものであって、請求項１に記載の発明は、上階の建物ユニットと下階の建物ユニットとを積層して構成され、かつ、前記上階の建物ユニットと下階の建物ユニットとの間に防火性を有した床防火区画面が設けられたユニット建物において、浴室が設けられた前記上階の建物ユニットに適用された建物ユニットの配管構造であって、前記床防火区画面の一部に、下方に落ち込み、かつ、前記床防火区画面に連続する防火仕上げが成された配管ボックスが設けられ、前記浴室用の排水管が、前記配管ボックス内に配索され、さらに、配管ボックスの側面を貫通して排水縦管に接続されていることを特徴とする建物ユニットの配管構造とした。
【０００９】
また、請求項２に記載の発明は、請求項１に記載の建物ユニットの配管構造において、  前記配管ボックスが設置された建物ユニットには、浴室を形成するバスコアユニットが設置され、かつ、このバスコアユニットが設置された部分では、前記床防火区画面が、前記バスコアユニットを設置しない一般部の床防火区画面に比べて、低い位置に配置され、前記排水管は、この一般部よりも低い位置に配置された床防火区画面よりもさらに低い位置に配置され、前記配管ボックスが、上階の建物ユニットと下階の建物ユニットとの境界よりも下方に突出されていることを特徴とする建物ユニットの配管構造とした。
【００１０】
また、請求項３に記載の発明では、請求項１または請求項２に記載の建物ユニットの配管構造において、前記配管ボックスが、複数の分割パーツを結合して形成されていることを特徴とする建物ユニットの配管構造とした。
【００１１】
また、請求項４に記載の発明は、請求項３に記載の建物ユニットの配管構造において、前記配管ボックスは、上方から視て前記バスコアユニットと重ならないユニット手前側から、上方から視て前記バスコアユニットと重なるユニット奥側へ、略一定幅の形状に形成され、前記分割パーツは、前記配管ボックスの長手方向の一端部を形成する端部パーツと、前記配管ボックスの少なくとも中間を形成する中間パーツと、を備え、前記端部パーツは、前記配管ボックスの底面を形成する底板と、前記配管ボックスの側壁を形成し、かつ、前記底板の三方を囲んで上方視で略コの字状に配置された側板と、を備え、前記中間パーツは、前記端部用パーツの底壁および側壁に連続して配置可能な底板およびその両端部に立設した側板と、により断面略コの字形状に形成されていることを特徴とする建物ユニットの配管構造とした。
【００１２】
また、請求項５に記載の発明は、請求項２〜４のいずれか１項に記載の建物ユニットの配管構造の施工方法であって、前記建物ユニットの工場における施工過程で、前記配管ボックスを除いて前記床防火区画面を形成し、さらに、この床防火区画面の上方に前記バスコアユニットを設置し、各建物ユニットを結合させる建築現場における施工過程で、前記配管ボックスを形成し、かつ、この配管ボックスに前記排水管を配索して、前記排水縦管に接続することを特徴とする施工方法とした。
【００１３】
また、請求項６に記載の発明は、請求項３または請求項４に記載の建物ユニットの配管構造を施工する請求項５に記載の施工方法であって、前記建築現場における施工過程において、各分割パーツを、前記設置済みのバスコアユニットの下方に差し込み、かつ、各分割パーツを接合させて配管ボックスを形成することを特徴とする施工方法とした。
【発明の効果】
【００１４】
請求項１に記載の建物ユニットの配管構造にあっては、上階の建物ユニットに設けられた床防火区画面の一部に、この床防火区画面から下方に落ち込んだ配管ボックスが形成されており、この配管ボックスに、排水管が配索される。
【００１５】
このように、排水管を配管する部分だけ、床防火区画面よりも下げて配置するようにしたため、均一な高さの床防火区画面の上に排水管を配索するのに比べて、無駄なスペースを無くすことができる。これにより、安価に、上階の建物ユニットと下階の建物ユニットとの間の限られたスペースに床防火区画面を確保しつつ排水管を配索することが可能となる。
【００１６】
さらに、請求項２に記載の建物ユニットの配管構造にあっては、バスコアユニットが設置されている部分の床防火区画面が、バスコアユニットを設置しない一般部の床防火区画面に比べて、低い位置に設置されている。このため、バスコアユニットにより形成される浴室の床面の位置を下げて浴室内外の平床化を図ることができる。
【００１７】
しかも、配管ボックスが、この一般部よりも低くなった床防火区画面から、さらに上階の建物ユニットと下階の建物ユニットの境界よりも下方に突出されているため、配管ボックスを上階の建物ユニット内に配置する場合に比べて、より無駄なスペースを無くすことができる。
【００１８】
また、請求項３および請求項４に記載の建物ユニットの配管構造では、配管ボックスが、複数の分割パーツを結合して形成されている。
【００１９】
このため、バスコアユニットの設置後に配管ボックスを設置することが容易であり、バスコアユニットの設置を工場で行い、配管ボックスの設置を建築現場で行うことが可能とすることができる。
【００２０】
したがって、バスコアユニットを建築現場で設置するのに比べて、作業性を向上させることができる。しかも、このように配管ボックスを現場で組み立てるようにすれば、建物ユニットの運搬時には、配管ボックスが建物ユニットから突出することが無いため、配管ボックスが運搬時に破損するおそれが無くなり、運搬性にも優れる。
【００２１】
さらに、請求項４に記載の建物ユニットの配管構造では、配管ボックスを組み立てる際には、最初に、端部パーツをバスコアユニットの下方に差し込み、その後、中間パーツを順に差し込むようにする。
【００２２】
こうすることで、底板と側板に囲まれた配管ボックスを形成することができ、かつ、側板の上端部を床防火区画面に連続させることができる。
【００２３】
したがって、請求項４に記載の発明では、よりスムーズに配管ボックスを組み立てることができる。
【００２４】
請求項５に記載の施工方法では、工場の施工過程では、下階の建物ユニットとの境界よりも下方に突出した配管ボックスは、建物ユニットを結合させる建築現場における施工過程で形成するようにした。
【００２５】
このため、工場から建築現場への建物ユニットの運搬時には、配管ボックスが建物ユニットから突出していないため、この運搬時に配管ボックスが突出しているのと比較して、運搬時に配管ボックスに対する配慮が不要で運搬が容易であり、かつ、配管ボックスが破損するおそれも無い。
【００２６】
さらに、請求項６に記載の施工方法では、配管ボックスを形成する際には、各分割パーツをバスコアユニットの下方に差し込んで形成するため、一体の配管ボックスを差し込むのに比べて、作業性に優れる。しかも、この配管ボックスの形状に対する制約が抑えられ、すなわち、配管ボックスをバスコアユニットの奥まった位置まで差し込む形状とすることが可能であり、排水管の配索位置の自由度が高くなる。
【発明を実施するための最良の形態】
【００２７】
以下、本発明の実施の形態を図面に基づいて説明する。
（実施の形態１）
図１は、実施の形態１の建物ユニットの配管構造を適用したユニット建物ＵＨの要部の断面図であって、このユニット建物ＵＨは、１階部分を構成する複数の下階の建物ユニット１ａ，１ｂの上に、２階部分を構成する複数の上階の建物ユニット２ａ，２ｂを設置し、これらのユニット１ａ，１ｂ，２ａ，２ｂを相互に結合して構成されている。
【００２８】
そして、実施の形態１の建物ユニットの配管構造は、浴室ＢＲおよび洗面室ＳＲの一部を形成する上階の建物ユニット２ａに適用されている。
【００２９】
なお、浴室ＢＲは、建物ユニット２ａに設置されたバスコアユニットＢＵの内部に形成されている。また、洗面室ＳＲは、隣り合う建物ユニット２ｂの一部を併せて形成されている。
【００３０】
次に、実施の形態１の建物ユニットの配管構造を適用した建物ユニット２ａについて説明する。
【００３１】
この建物ユニット２ａは、他の建物ユニット１ａ，１ｂ，２ｂと同様に、床構造体２１と、この床構造体２１に立設された複数の柱２２（図４参照）と、これらの柱２２の上部に接合された天井構造体２３とを備えている。
【００３２】
床構造体２１は、一対の桁床梁２１１と一対の妻床梁２１２（図５参照）とにより長方形の枠状に形成された床枠２１３を備えている。そして、妻床梁２１２の間には、図５に示すように、４本の小梁２１４が架け渡されている。
【００３３】
なお、図１に示すように、小梁２１４は、その下面の高さが妻床梁２１２の下面に一致するように、すなわち、床枠２１３および床構造体２１の下面の高さに一致するように配置されている。
【００３４】
上階の建物ユニット２ａ，２ｂと下階の建物ユニット１ａ，１ｂとの間には、床防火区画面３が設けられている。この床防火区画面３は、セメント板や石膏ボードなど防火性に優れた素材の防火板材３１を敷設することで形成されている。
【００３５】
この床防火区画面３は、浴室ＢＲを有した建物ユニット２ａの浴室ＢＲを除いた部分および他の建物ユニット２ｂの部分である一般部３ａでは、図４に示すように、床板材４の下面に接して防火板材３１を敷設して形成されている。なお、床板材４および防火板材３１は、床小梁５１の上に交差して架設された床根太５２の上に敷設されている。また、図１に概略を示すように、浴室ＢＲを有した建物ユニット２ａでは、床根太５２は、浴室ＢＲの外の範囲のみに設けられている。
【００３６】
一方、浴室ＢＲを有した建物ユニット２ａには、床防火区画面３として、一般部３ａよりも低い位置に配置された低区画部３ｂが設けられている。
【００３７】
この低区画部３ｂは、平面部３ｃと配管ボックス６とで形成されている。
平面部３ｃは、バスコアユニットＢＵの重量がかかる範囲に設けられたもので、例えば、強度的に優れたセメント板などの防火板材３１を小梁２１４の上に敷設して形成されている。これら小梁２１４は、前述したようにその下面の高さが妻床梁２１２の下面に一致する高さに設けられているため、平面部３ｃは、防火区画面３の一般部３ａよりも低い位置に配置されている。これによって、バスコアユニットＢＵを一般部３ａよりも低い位置に配置して、浴室ＢＲ内外の床の高さを均一にする平床化が図られている。
【００３８】
さらに、平面部３ｃの一部には、図５に示すように、防火板材３１を敷設せずに空けられた空間である配管用空間ＰＳが設けられている。この配管用空間ＰＳは、後述するバスコアユニットＢＵの浴室排水管７を配索するためのスペースであって、上方から視てバスコアユニットＢＵと重なる位置から重ならない位置まで一定幅で延在されている。
【００３９】
すなわち、防火板材３１は、４本の小梁２１４のうち、内側の２本の小梁２１４（図において２１４（ａ）と表示したもの）の間を除いて敷設されている。さらに、内側の小梁２１４，２１４の間の一部、すなわちバスコアユニットＢＵの奥側の部分にも防火板材３１が敷設され、残った部分に配管用空間ＰＳが形成されている。
【００４０】
図３の平面図では、各小梁２１４が延在されている位置を細かな斜線で示し、また、配管用空間ＰＳの位置を、小梁２１４を示す斜線よりも広い間隔の斜線により示している。
【００４１】
配管用空間ＰＳには、図６に示す配管ボックス６が設けられている。この配管ボックス６は、配管ボックス６の底面を形成する長方形の底壁６ａと、配管ボックス６の周面を形成すべく底壁６ａの周囲に立設された側壁６ｂ，６ｃ，６ｄ，６ｅとにより上方に開口した矩形の箱状に形成されている。
【００４２】
そして、この配管ボックス６を、その側壁６ｂ，６ｃ，６ｄ，６ｅの上端部が配管用空間ＰＳを囲む各防火板材３１の端縁部に接するように設けられている。したがって、配管ボックス６は、図１，図２に示すように、平面部３ｃよりも下方であって、上階の建物ユニット２ａと下階の建物ユニット１ａとの境界ＢＬよりも下方位置まで落ち込んで設けられている。
【００４３】
この配管ボックス６は、防火区画面３の一部を形成すべく防火仕上げが成されており、例えば、底壁６ａおよび側壁６ｂ，６ｃ，６ｄ，６ｅがセメント板や石膏ボードなどの防火材により形成されている。
【００４４】
さらに、配管ボックス６は、それぞれ分割された分割パーツとしての端部パーツ６１，６１と中間パーツ６２，６２とを結合させることにより形成されている。
【００４５】
すなわち、端部パーツ６１は、配管ボックス６の長手方向の一端部を形成するパーツであって、配管ボックス６の底壁６ａの一部を形成する底板６１ａと、この底板６１ａの三方を囲んで上方から視て略コの字状に立設された側板６１ｂ，６１ｂ，６１ｃと、を備えている。
【００４６】
中間パーツ６２は、底板６２ａと、この底板６２ａの両端に立設された一対の側板６２ｂ，６２ｂと、により、端部パーツ６１の底板６１ａおよび側板６１ｂ，６１ｂに連続して配置可能な断面略コの字形状に形成されている。
【００４７】
なお、本実施の形態１では、手前側に配置された端部パーツ６１の側板６１ｂに、略Ｕ字状の配管用穴６１ｄが形成されている。
【００４８】
配管ボックス６には、図１に示すように、浴室ＢＲからの排水を行う浴室排水管７が配索されている。この浴室排水管７は、配管ボックス６の内部において浴室排水管７に直交する接続用配管７１に接続されている。また、接続用配管７１は、配管用穴６１ｄを通って配管ボックス６の外に配索され、建物ユニット２ａの端部において上下方向に配管された排水縦管８に接続されている。
【００４９】
なお、本実施の形態１では、配管ボックス６において配管用穴６１ｄの内周と接続用配管７１の外周との間には、モルタルやロックウールやグラスウールなどの不燃材（図示省略）が充填されており、これにより防火区画面３が途切れない構造となっている。
【００５０】
また、接続用配管７１には、浴室排水管７以外にも浴室ドアのドレン用のドレン排水管７２や、洗濯機用のランドリー排水管７３が接続されている（図５（ｂ）参照）。
【００５１】
そして、浴室排水管７および接続用配管７１は、図２に示すように、上階の建物ユニット２ａと下階の建物ユニット１ａとの境界ＢＬよりも下方の高さに配置されている。また、配管ボックス６の周囲の下方位置には、吸音用のグラスウール９が充填されている。
【００５２】
また、図５に示す配管用空間ＰＳは、配管ボックス６を設置した上で、その上方に、図１に示すように、床板材４が設置されている。そして、この床板材４において、配管ボックス６と上下方向で重ならない範囲には、防火板材３１が敷設されて、防火区画面３の一般部３ａが形成されている。
【００５３】
なお、配管ボックス６において、上方から視てバスコアユニットＢＵと重ならない位置では、配管ボックス６の側壁６ｃ，６ｄ，６ｅの上端と、床板材４の下に配置された防火区画面３の一般部３ａとの間にも、防火板材３１が設けられ、防火区画面３が途切れることなく連続して形成されている。
【００５４】
次に、実施の形態１の建物ユニットの配管構造の施工方法について説明する。
ユニット建物ＵＨを建築する場合、まず、工場において、各建物ユニット１ａ，１ｂ，２ａ，２ｂを製造し、その後、各建物ユニット１ａ，１ｂ，２ａ，２ｂを建築現場に運搬し、各建物ユニット１ａ，１ｂ，２ａ，２ｂどうしを結合させる。
【００５５】
そこで、実施の形態１の配管構造を適用した建物ユニット２ａの施工方法を、図５を用いて、工場における施工作業と建築現場における施工作業とに分けて説明する。
【００５６】
工場では、床構造体２１に柱２２を立設し、これらの柱２２の上部に天井構造体２３を接合し、建物ユニット２ａの枠組を形成する。
【００５７】
そして、図５（ａ）に示すように、床構造体２１の小梁２１４の上に防火板材３１を敷設して床防火区画面３の低区画部３ｂ形成し、かつ、この低区画部３ｂには配管用空間ＰＳを空けておく。
【００５８】
さらに、床防火区画面３の低区画部３ｂの上にバスコアユニットＢＵを設置する。その後、建物ユニット２ａに壁ＷＯや天井ＳＬを取り付ける（図１参照）。
【００５９】
次に、建築現場では、図５（ｂ）に示すように、浴室排水管７などの配管を行う。この配管を行うのに先立ち、まず、配管用空間ＰＳに配管ボックス６を設置する。
【００６０】
その手順を説明すると、配管用空間ＰＳにおいてバスコアユニットＢＵに覆われていない開口部分から、まず、図６に示す端部パーツ６１のみをバスコアユニットＢＵの下へ差し込む。
【００６１】
次に、端部パーツ６１の手前に中間パーツ６２を並べ、その中間パーツ６２をバスコアユニットＢＵの下へ押し込む。
【００６２】
さらに、中間パーツ６２の手前にもう１つの中間パーツ６２を並べ、その中間パーツ６２をバスコアユニットＢＵの下へ押し込み、最初に挿入した端部パーツ６１を、配管用空間ＰＳの奥に当接させる。
【００６３】
最後に、配管用穴６１ｄが形成された端部パーツ６１を配管用空間ＰＳに挿入し、中間パーツ６２と連続させて、配管ボックス６の設置を終える。
【００６４】
また、配管ボックス６内に、浴室排水管７を配索し、さらに、必要な接続を行い、接続用配管７１を、配管ボックス６に開口された配管用穴６１ｄに挿通させる。なお、この挿通作業は、端部パーツ６１を投入する前に行って、最後に、端部パーツ６１を投入するようにしてもよい。
そして、配管用穴６１ｄの内周と接続用配管７１との間に不燃材を充填し、さらに、配管用空間ＰＳの上に床板材４を敷設する。
【００６５】
以上説明してきたように、実施の形態１の建物ユニットの配管構造にあっては、上階の建物ユニット２ａに設けられた床防火区画面３の一部に、この床防火区画面３から下方に落ち込んだ配管ボックス６が形成されており、この配管ボックス６に、浴室排水管７が配索されている。
【００６６】
このように、浴室排水管７を配管する配管ボックス６だけ、床防火区画面３の一般部３ａやそれよりも低くなった低区画部３ｂよりも下げて、上下の建物ユニット２ａ，１ａの境界ＢＬよりも低い位置に配置するようにして、浴室排水管７も境界ＢＬよりも低い位置に配索した。
【００６７】
このため、床防火区画面３を均一な高さに配置して、浴室排水管７を境界ＢＬよりも高い位置に配索するのに比べて、無駄なスペースを無くすことができ。よって、安価に、上階の建物ユニット２ａと下階の建物ユニット１ａとの間の限られたスペースに床防火区画面３を確保しつつ効率的に浴室排水管７を配索することが可能となる。
【００６８】
しかも、防火区画面３において、バスコアユニットＢＵが設置されている部分は、一般部３ａよりも低い低区画部３ｂにより形成して、バスコアユニットＢＵの内外の平床化を図った。よって、平床化してない構造に比べて、いっそうスペースの有効利用を達成できる。
【００６９】
さらに、配管ボックス６および浴室排水管７を、上下の建物ユニット２ａ，１ａの境界よりも低い位置に配置したが、これらは、建築現場において、設置および配索を行うようにした。このため、建物ユニット２ａの運搬時には、これら６，７が建物ユニット２ａから下方に突出しておらず、運搬時にこれらが破損するおそれが無くなり、かつ、運搬が容易になる。
【００７０】
加えて、配管ボックス６は、分割された端部パーツ６１，６１および中間パーツ６２，６２を接合して形成するようにしたため、配管ボックス６が最初から一体である構造に比べて、バスコアユニットＢＵの下の狭い配管用空間ＰＳに設置するのが容易であり、作業性に優れる。また、一体の配管ボックス６では挿入できない場所にも配管ボックス６を設置することが可能であり、配管ボックス６の設計自由度および浴室排水管７の配索自由度が高くなる。
【００７１】
また、端部パーツ６１の側板６１ｂには、あらかじめ配管用穴６１ｄを形成したため、現場の配管作業が容易となる。
【００７２】
（他の実施の形態）
以下に、他の実施の形態について説明する。なお、これら他の実施の形態の説明にあたり、実施の形態１と同一あるいは均等の構成には、実施の形態１と同一の符号を付けてその説明を省略する。
【００７３】
（実施の形態２）
図７は実施の形態２に用いる配管ボックス２０６を示している。この配管ボックス２０６は、１つの端部パーツ６１と、２つの中間パーツ６２，６２と、１枚のグラスウールなどの変形可能な不燃材２６３により形成した例である。この配管ボックス２０６の側壁２０６ｄは、不燃材２６３により形成されている。
【００７４】
すなわち、施工時には、図７（ａ）〜（ｃ）に示すように、実施の形態１と同様に、各パーツ６１，６２，６２を並べて接合させる。
【００７５】
そして、図７（ｄ）に示すように、浴室排水管２０７を配索させた後、配管ボックス２０６の端部に配置された中間パーツ６２の開口部分を、図７（ｅ）に示すように、不燃材２６３により塞ぎ、配管ボックス２０６の設置および浴室排水管２０７の配索を終える。
【００７６】
なお、実施の形態２にあっては、上述の配管ボックス２０６の設置作業以外は、実施の形態１と同様であるので、説明を省略する。
【００７７】
以上、図面を参照して、本発明の実施の形態１，２について詳述してきたが、具体的な構成は、この実施の形態１，２に限定されるものではなく、本発明の要旨を逸脱しない程度の設計的変更は、本発明に含まれる。
【００７８】
例えば、実施の形態１，２では、配管ボックス６，２０６を構成する分割パーツとして、配管ボックス６，２０６の長手方向で複数に分割した端部パーツ６１および中間パーツ６２を示したが、この分割パーツの形状は、実施の形態１，２で示したものに限定されない。すなわち、実施の形態１，２で示したものよりも、細分化してもよいし、あるいは、実施の形態１，２で示したものよりも大きく形成してもよい。また、分割方向も、実施の形態１，２で示した形状に限定されるものではない。
【００７９】
また、実施の形態１，２では、防火区画面３および配管ボックス６，２０６として、セメント板、石膏ボード、グラスウールなどで防火仕上げを行ったものを示したが、これらの素材は、防火性を有するものであれば、他の材質のものを用いてもよく、例えば、金属板やグラスウール板やモルタルやロックウールなどを用いてもよい。
【図面の簡単な説明】
【００８０】
【図１】本発明の実施の形態１の建物ユニットの配管構造を示す断面図であって、図３のＳ１−Ｓ１線で切断した状態で示している。
【図２】本発明の実施の形態１の建物ユニットの配管構造を示す断面図であって、図３のＳ２−Ｓ２線で切断した状態で示している。
【図３】本発明の実施の形態１の建物ユニットの配管構造の上方から視た概略を示す概略図である。
【図４】本発明の実施の形態１の建物ユニットの配管構造の要部を示す断面図である。
【図５】本発明の実施の形態１の建物ユニットの配管構造の施工手順の説明図であり、（ａ）は工場における施工状態を示す斜視図で、（ｂ）は建築現場における施工状態を示す斜視図である。
【図６】本発明の実施の形態１の建物ユニットの配管構造に用いた配管ボックス６を示す斜視図である。
【図７】本発明の実施の形態２の建物ユニットの配管構造に用いた配管ボックス２０６およびその設置手順を示す説明図であり、（ａ）〜（ｄ）は施工手順を順を追って示し、（ｅ）は施工終了時を示している。
【符号の説明】
【００８１】
１ａ，１ｂ    建物ユニット
２ａ，２ｂ    建物ユニット
３     床防火区画面
３ａ   一般部
３ｂ   低区画部
３ｃ   平面部
６     配管ボックス
７     浴室排水管
８     排水縦管
６１   端部パーツ
６２   中間パーツ
２０６ 配管ボックス
２０７ 浴室排水管
２６３ 不燃材
ＢＬ   境界
ＢＲ   浴室
ＢＵ   バスコアユニット
ＰＳ   配管用空間
ＵＨ   ユニット建物
【図１】
0004813969.tif 000002
【図２】
0004813969.tif 000003
【図３】
0004813969.tif 000004
【図４】
0004813969.tif 000005
【図５】
0004813969.tif 000006
【図６】
0004813969.tif 000007
【図７】
0004813969.tif 000008